(57)【要約】【課題】  輸送効率を高めるとともに、現場での施工が容易な凾体用目地材を提供する。【解決手段】  凾体用目地材を構成するシート体１３は、平面状に布設され、屈曲自在で且つ保形性を有する基材１６と、水密性を及び可撓性を有し、その内部に基材１６が埋設されるシート形状の弾性体１７とから構成されている。基材１６は具体的にはステンレス鋼よりなる第１の線材１８とステンレス鋼よりなる第２の線材１９とが網目状に組み合わされて構成されている。また弾性体１７は合成ゴムよりなり、基材１６を完全に覆うように一体成型されている。これによってシート体１３は屈曲自在となるとともに、基材１６の保形性によってその屈曲状態が保持されることになる。そのため、輸送時にはシート状で重ねることが可能になり、現場では目的部の形状に合わせた屈曲加工が容易となる。【選択図】      図２
2005133452.tif 000002
【特許請求の範囲】
【請求項１】
対向する凾体の目地部を塞ぐために用いられる凾体用目地材であって、
平面状に布設され、少なくとも一方向に屈曲自在で且つ保形性を有する基材と、
水密性及び可撓性を有し、その内部に前記基材が埋設されるシート形状の弾性体とを備えた、凾体用目地材。
【請求項２】
前記基材は、一方向に平行に配列された複数の線材よりなる、請求項１記載の凾体用目地材。
【請求項３】
前記基材は、網目状に配列された複数の線材よりなる、請求項１記載の凾体用目地材。
【請求項４】
前記基材はステンレス鋼よりなり、前記弾性体はゴムよりなる、請求項１から請求項３のいずれかに記載の凾体用目地材。
【発明の詳細な説明】
【技術分野】
【０００１】
この発明は凾体用目地材に関し、特に生活用水や工業用水等を貯留する貯水池や浄水池、上下水道の水路等の連続するコンクリート凾体やコンクリート管、落石防止用コンクリートブロック等（以下「凾体」という）の目地の水漏れや土砂の侵入を防止する凾体用目地材に関するものである。
【背景技術】
【０００２】
凾体同志の目地から水漏れを防止するために、その目地を目地材で塞ぐ止水構造が取られている。
特開２０００−３４７１８号公報において、コンクリート構造物の可撓性継手が開示されている。この可撓性継手、すなわち目地材は合成ゴム等の弾性体により一体成型され、、その内部にバイアス構造の補強布が埋設されている。幅方向の中央には、断面逆Ｕ字形状の凸部が形成され、その凸部の両側には１対の平板状の係止部が形成されている。又、係止部の各々の下面には、下方に突出した止水線が形成されていると共に、それらの各々の外方の係止部の部分に対して開口が形成されている。
【０００３】
使用時にあっては、目地部を介して対抗するように配置されている凾体の各々に対してこの目地材をその凸部が目地部の上方になるように凾体の各々の上面に載置する。そしてこの状態で係止部の各々に形成された開口を介して凾体の各々から外方に突き出たボルトに対してナットを締めつけることによって目地材を固定する。
【０００４】
これによって、地震等によって目地部を介して対向する凾体同志の移動やズレを目地材の余長部が吸収することで、目地部からの水漏れ等が防止される。
【発明の開示】
【発明が解決しようとする課題】
【０００５】
上記のような従来の目地材では、余長部が、係止部の面から突出しているため、多数の目地材を輸送する際不要なスペースを多く必要とし、輸送効率が低下するという問題があった。又、凸部は前もって一体成型されているため、凸部を上下逆にして収納するための凹部が形成されているような場合には、その形状が予測通りになっていない時には現場では調整することができず歩留まりを低下させていた。
この発明は上記のような課題を解決するためになされたもので、輸送効率を高めるとともに、現場での調整、施工が容易な目地材を提供することを目的とする。
【課題を解決するための手段】
【０００６】
上記の目的を達成するために、請求項１記載の発明は、対向する凾体の目地部を塞ぐために用いられる凾体用目地材であって、平面状に布設され、少なくとも一方向に屈曲自在で且つ保形性を有する基材と、水密性及び可撓性を有し、その内部に基材が埋設されるシート形状の弾性体とを備えたものである。
【０００７】
このように構成すると、弾性体は自在に変形するとともに変形状態が保持される。
【０００８】
請求項２記載の発明は、請求項１記載の発明の構成において、基材は一方向に平行に配列された複数の線材よりなるものである。
【０００９】
このように構成すると、一方向に対して屈曲後の変形状態が保持される。
【００１０】
請求項３記載の発明は、請求項１記載の発明の構成において、基材は網目状に配列された複数の線材よりなるものである。
【００１１】
このように構成すると、どの方向に対しても屈曲後の変形状態が保持される。
【００１２】
請求項４記載の発明は、請求項１から請求項３のいずれかに記載の発明の構成において、基材はステンレス鋼よりなり、弾性体はゴムよりなるものである。
【発明の効果】
【００１３】
以上説明したように、請求項１記載の発明は、弾性体は自在に変形するとともに変形状態が保持されるため、運搬時にはシート状で重ねたり、ロール状に巻いたりして行うことができ輸送効率が良い。また、自在に変形させることができるので、現場合わせが容易となり、使い勝手が良い。
【００１４】
請求項２記載の発明は、請求項１記載の発明の効果に加えて、一方向に対して、屈曲後の変形状態が保持されるため、用途に応じて最小限の線材を用いれば良いため重量が軽減されるとともにコスト的に有利な目地材となる。
【００１５】
請求項３記載の発明は、請求項１記載の発明の効果に加えて、どの方向に対しても屈曲後の変形状態が保持されるため、特殊な目地部の形状に対しても容易に追随できるため使い勝手が良い。
【００１６】
請求項４記載の発明は、請求項１から請求項３のいずれかに記載の発明の効果に加えて、基材はステンレス鋼よりなり、弾性体はゴムよりなるため、目地材の耐久性が向上する。また、弾性体はゴムよりなるため、目地材を凾体に押し付ける際のシール性が向上する。
【発明を実施するための最良の形態】
【００１７】
図１はこの発明の第１の実施の形態による目地材の外観形状を示した概略斜視図であり、図２は図１で示した目地材の一部を取出してこれを一部破断状態で示した概略斜視図である。
【００１８】
これらの図を参照して、目地材１１は矩形平板状に形成されたシート体１３と、シート体１３の下面に形成され、互いに平行に配列された一対の止水突条１４ａ，止水突条１４ｂと一対の止水突条１５ａ，止水突条１５ｂとから構成されている。シート体１３は、具体的にはステンレス線材よりなり一方向に所定間隔で平行に配列された第１の線材１８と、同様のステンレス線材よりなり第１の線材１８の配列方向とは直交する方向に所定間隔で配列された第２の線材１９とからなる網目形状をなす基材１６と、基材１６がその中央部に埋設されるように形成された例えば合成ゴム等からなる弾性体１７とから構成されている。尚、一対の止水突条１４ａ，止水突条１４ｂと一対の止水突条１５ａ，止水突条１５ｂとは、弾性体１７と同一材料にて一体成型されている。
【００１９】
目地材１１のシート体１３は上記のように構成されているため、いずれの方向にも屈曲可能に構成されている。そして、その内部に基材１６が埋設されているため、屈曲後の形状が維持される、いわゆる保形性を有するシート体１３となる。これによって目地材１１は所望の形状に変化させることが可能になるとともに、その変形状態が保持されることになる。
【００２０】
図３は図１で示した目地材を用いて凾体の目地部にこれを取付ける状態を示した概略工程図である。
【００２１】
その（１）に示されているように、目地材１１は現場への搬送までは、図１で示したような平板状の状態で行われることになる。このため、同様の目地材１１をそのまま積み重ねることが容易となり、従来例とは異なり効率的な搬送が可能となる。現場での施工に際しては、平板状の目地材１１を目地部２２及び目地部２２の上に形成された凹部２３を介して対向状態となっている凾体２１ａ，凾体２１ｂの上面上に配置する。
【００２２】
そして、図３の（２）に示されているように、目地材１１の中央部２５の位置に上方から下方に向けて力を加え、目地材１１の中央部を凹部２３の形状に沿うように変形させる。この時目地材１１は図２に示したような構造となっているため、シート体１３を容易に変形させるとともにその変形状態が保持されるため、現場での目地材１１の加工が容易となる。
【００２３】
そして、図３の（３）に示されているように、目地材１１の中央部を凹部２３に応じた所望の形に変形させて下方に突出した凸部２６を形成する。この凸部２６を凹部２３に収納させた状態で、固定具２７ａ，固定具２７ｂを介して目地材１１を凾体２１ａ，凾体２１ｂに取付ける。尚、固定具２７ａ，固定具２７ｂの取付けに際しては、目地材１１のシート体１３に従来例のようにボルトを貫通させるための開口を前もって形成しておいても良いが、現場合わせにて貫通用の穴を形成するようにしても良い。
【００２４】
このようにして目地材１１が凾体２１ａ，凾体２１ｂに取付られると、固定具２７ａ，固定具２７ｂの両側には一対の止水突条１４ａ，止水突条１４ｂ及び一対の止水突条１５ａ，止水突条１５ｂが形成されており、この部分が凾体２１ａ，凾体２１ｂに押し付けられ目地材１１のシール性が発揮される。また目地材１１には従来例と同様にその幅方向の中央部に長手方向に延びる凸部２６が連続的に形成されるため、地震等によって、対向する凾体２１ａ，凾体２１ｂの位置関係がずれた場合であっても、その移動に目地材１１は容易に追随できるため、目地部２２を介しての水漏れ等が確実に防止される。
【００２５】
図４はこの発明の第１の実施の形態による目地材の取付状態の他の例を示した概略断面図である。
【００２６】
図４の（１）においては、目地部２２の上方に形成された凹部２３が逆台形形状の断面を有している。このような場合であっても、目地材１１の中央部を下方に突き出るように変形させ、凹部２３の側壁に沿うような凸部２６を容易に現場にて形成することが可能となる。これによって凹部２３に沿った状態の目地材１１を、凾体２１ａ，凾体２１ｂに容易に取付ることが可能となる。
【００２７】
図４の（２）においては、目地部２２の上方には先の取付例のような凹部が形成されていない。そのため目地材１１の中央部は上方向に突出するように変形させられ、断面が山状の突出部２９が形成されている。この状態で目地材１１は凾体２１ａ，凾体２１ｂに取付られるため、地震等による凾体２１ａ，凾体２１ｂの移動やズレは目地材１１の突出部２９が吸収することになる。このような加工も現場にて容易にできるため、使い勝手が良い。
【００２８】
図４の（３）においては、水平方向に配置された凾体３１ａに対して、目地部２２を介して垂直方向に延びる凾体３１ｂが配置されている。そして目地材１１の中央部は屈曲部３２となり、その両側の部分が互いに直交するように曲げられている。そして目地材１１の一方側は凾体３１ａの上面に沿うように配置され、目地材１１の他方側は凾体３１ｂの立設面に沿うように配置され、各々に対して目地材１１は固定されることになる。これによって凾体３１ａ，凾体３１ｂの各々の位置関係がずれたような場合であっても屈曲部３２がこれに追随することになり、目地部２２を介しての水漏れ防止が可能となる。
【００２９】
尚、上記の実施の形態では、基材を構成する線材は網目状に形成されていたが、少なくとも一方向に屈曲自在で且つ保形性を発揮するように基材は構成されていれば良い。例えば、一方向にのみ平行に配列された複数の線材を基材として採用すれば、用途に応じた効率的な目地材となる。
【００３０】
又、上記の実施の形態では、基材を構成する線材としてステンレス鋼を採用しているが、可撓性及び保形性を有するものであれば、他の材料であっても良く、又、線材以外の金属板等でも良い事は言うまでもない。
【００３１】
更に、上記の実施の形態では、弾性体は合成ゴムを用いているが、水密性及び可撓性を有する天然ゴム、合成樹脂等の他の弾性材料を用いても同様の効果を奏する。
【００３２】
更に、上記の実施の形態では、目地材に止水突条を形成しているが、これは必ずしも必要なものではない。
【００３３】
更に、上記の実施の形態では、特定数のボルト・ナットからなる固定具を用いているが、ボルト・ナットの本数はこれに限らず、又、他の固定具を用いて目地材を凾体に固定しても良い事は言うまでもない。
【００３４】
更に、上記の各実施の形態では、貯水池等に用いられるコンクリート凾体の底面や壁面の目地の止水を対象としているが、落石防止用のコンクリートブロック等の壁面の目地を対象として土砂等の侵入を防止するように用いても良い事は言うまでもない。
【図面の簡単な説明】
【００３５】
【図１】この発明の第１の実施の形態による目地材の外観形状を示した斜視図である。
【図２】図１で示した目地材を構成するシート体の一部を取出し、これを一部破断した状態で示した概略斜視図である。
【図３】図１で示した目地材の取付方法を示した概略工程図である。
【図４】図１で示した目地材の取付状態の他の例を示した図である。
【符号の説明】
【００３６】
１１…目地材
１６…基材
１７…弾性体
１８…第１の線材
１９…第２の線材
２１…凾体
２２…目地部
尚、各図中同一符号は同一又は相当部分を示す。
【図１】
2005133452.tif 000003
【図２】
2005133452.tif 000004
【図３】
2005133452.tif 000005
【図４】
2005133452.tif 000006